(57)【要約】      （修正有）【課題】電線における充電部に専用化し、小型化できて使い勝手が良く、また、充電部からズレることもなく安全に使用できる配電線被覆補修カバーを提供する。【解決手段】長手方向に沿った下縁を分割して両分割端縁１ａ，１ａが自在に拡開し、電線の充電部を被覆する合成樹脂製からなる筒状のカバー本体１と、該カバー本体１における両分割端縁１ａ，１ａにそれぞれ下方へ突出するようにして対設され、一方に係合突起５を突設すると共に他方に該係合突起５を係脱自在に係合させる係合孔６が開設された一対の突出片４ａ，４ｂと、カバー本体１に設けられホットスティックの先端で挟持する把持片８と、カバー本体１の内周面に設けられ電線の充電部に当接すると共に電線の被覆層の切断端面に当たって電線に沿った不要な移動を阻止するズレ止め防止片９とを備えている。【選択図】図３
0003169138.tif 000002
【実用新案登録請求の範囲】
【請求項１】
長手方向に沿った下縁を分割して両分割端縁が自在に拡開し、電線の充電部を被覆する合成樹脂製からなる筒状のカバー本体と、
前記カバー本体における両分割端縁にそれぞれ下方へ突出するようにして対設され、一方に係合突起を突設すると共に他方に該係合突起を係脱自在に係合させる係合孔が開設された一対の突出片と、
前記カバー本体に設けられホットスティックの先端で挟持する把持片と、
前記カバー本体の内周面に設けられ前記電線の充電部に当接すると共に電線の被覆層の切断端面に当たって電線に沿った不要な移動を阻止するズレ止め防止片と、を備えていることを特徴とする配電線被覆補修カバー。
【考案の詳細な説明】
【技術分野】
【０００１】
本考案は、配電線路で停電工事を行なう際に短絡接地器具が取り付けられた電線の剥ぎ取り個所を補修する配電線被覆補修カバーに関するものである。
【背景技術】
【０００２】
従来、配電線路で停電工事を行なう際には、誤充電による感電事故を防止するために、電線に短絡接地器具（ショートアース）を取り付けるようにしている。短絡接地器具はその下端をアースに接地させると共に、上端を電線の被覆を剥ぎ取った充電部に接触するようにして掛け止めしている。そこで、配電線路の工事終了後は、前記短絡接地器具を電線及びアースから取り外すので、その後の電線の被覆を剥ぎ取った充電部を被覆するなど補修する必要がある。
【０００３】
現在、２２ｋＶの電線における被覆を剥ぎ取った充電部の修復には、共用カバーが用いられている。該共用カバーは、例えば「分岐スリーブ」、「締付けコネクター」、「ジャンパースリーブ」及び「電線における充電部」の絶縁カバーとして使用できる構成からなっている。そのうち、分岐スリーブカバーとして、例えば特許文献１に示すようなものがある。すなわち、該分岐スリーブカバーは、電線と該電線から分岐される分岐線とを接続する分岐スリーブ個所を覆うようにしている。
【０００４】
詳しくは、前記特許文献１に係る分岐スリーブは、合成樹脂製であって長手方向に沿って上端縁を残し分割される一対の半割筒体からなり、側面略横長長方形状に形成され内部に横長空洞部を有する。そして、長手方向の一端に本線が挿通される挿通孔が開設されると共に、他端に該本線とその下に位置する分岐線とが挿通される挿通孔が開設されている。
【先行技術文献】
【特許文献】
【０００５】
【特許文献１】特開２００１−３０９５４１号公報（第２−４頁、図１）
【考案の概要】
【考案が解決しようとする課題】
【０００６】
前記特許文献１に係る分岐スリーブカバーを電線の充電部を覆う配電線被覆補修カバーとして共用する場合、該配電線被覆補修カバーは比較的大型化し重量も嵩むことから取り扱い難かった。また、配電線被覆補修カバーが充電部に対してズレないような構成が横長空洞部内に採られていないことから、風圧や振動を受けることにより、該配電線被覆補修カバーが電線に沿って移動して充電部からズレて該充電部が外部に露出してしまい、これにより短絡事故が起きる危険性が有るという課題があった。
【０００７】
そこで、本考案は前記課題を解決すべくなされたもので、電線における充電部に専用化し、小型化できて使い勝手が良く、また、充電部からズレることもなく安全に使用できる配電線被覆補修カバーを提供することを目的とするものである。
【課題を解決するための手段】
【０００８】
かかる目的を達成するために、本考案に係る配電線被覆補修カバーは、長手方向に沿った下縁を分割して両分割端縁が自在に拡開し、電線の充電部を被覆する合成樹脂製からなる筒状のカバー本体と、前記カバー本体における両分割端縁にそれぞれ下方へ突出するようにして対設され、一方に係合突起を突設すると共に他方に該係合突起を係脱自在に係合させる係合孔が開設された一対の突出片と、前記カバー本体に設けられホットスティックの先端で挟持する把持片と、前記カバー本体の内周面に設けられ前記電線の充電部に当接すると共に電線の被覆層の切断端面に当たって電線に沿った不要な移動を阻止するズレ止め防止片と、を備えていることを特徴とする。
【考案の効果】
【０００９】
本考案に係る配電線被覆補修カバーは、電線の被覆を剥ぎ取った充電部を被覆するカバーとして専用化できるので、全体に小型化が可能になり使い勝手が良くなる。また、ホットスティックの先端で一対の突出片を挟んで係合突起を係合孔に係合させ、しかも、該ホットスティックの先端で把持片を狭持してカバー本体を電線の充電部に被覆でき、ホットスティックが使用でき作業が容易にかつ迅速に行なえる。更に、カバー本体が風圧や振動により電線に沿って移動しようとしても、ズレ止め防止片が充電部に当接すると共に被覆層の切断端面に当たりその不要な移動を阻止するので、カバー本体がズレることがなく充電部を安全に被覆するという効果を奏する。
【図面の簡単な説明】
【００１０】
【図１】本考案に係る配電線被覆補修カバーの一方から見た斜視図。
【図２】同他方から見た斜視図。
【図３】同長手方向に沿って２分割して内面を示す斜視図。
【図４】図１のＸ−Ｘ線拡大断面図。
【図５】本考案に係る配電線被覆補修カバーを被覆する手順を示す斜視図。
【図６】本考案に係る配電線被覆補修カバーを被覆する手順を示す斜視図。
【図７】本考案に係る配電線被覆補修カバーを被覆した状態の正面断面図。
【図８】本考案に係る配電線被覆補修カバーを取り外す手順を示す斜視図。
【考案を実施するための形態】
【００１１】
以下、本考案に係る配電線被覆補修カバーの最良の実施の形態を図面に基づき詳しく説明する。図１は本考案に係る配電線被覆補修カバーの一方から見た斜視図、図２は同他方から見た斜視図、図３は同長手方向に沿って２分割して内面を示す斜視図、図４は図１のＸ−Ｘ線拡大断面図である。配電線被覆補修カバーＡは、後記する電線Ｗが挿通される内径と約２４０ｍｍの長さ寸法を有すると共に、長手方向に沿った下縁を分割して両分割端縁１ａ，１ａが自在に拡開できる合成樹脂製の筒状のカバー本体１からなる。該カバー本体１により、後記する電線Ｗの露出した充電部Ｄを被覆する。
【００１２】
前記カバー本体１は上部に電線Ｗが挿通される挿通孔２が貫設されており、該カバー本体１における両分割端縁１ａ，１ａの内側面に、それぞれ互いに上下に重なる一対の突条３，３が突設されている。これら一対の突条３，３は電線Ｗの充電部Ｄに対応して設けられ、沿面距離を確保するためのものである。また、カバー本体１の両分割端縁１ａ，１ａに沿った両端部と中央部に、それぞれ下方へ突出するようにして一対の突出片４ａ，４ｂが対設されている。そして、これら一対の突出片４ａ，４ｂのうち、一方の各突出片４ａの内側面に先端に係合爪５ａを有する係合突起５がほぼ水平に突出されている。これに対し、他方の各突出片４ｂには、該係合突起５が係脱自在に係合する係合孔６が開設されている。
【００１３】
前記他方の各突出片４ｂの外側面に、係合孔６を囲うようにして所定の高さの囲い枠７が設けられている。これは、各係合孔６に各係合突起５の係合爪５ａが係合したとき、その先端が囲い枠７内に位置しそれよりも外側へ突出しないようにして、後記するホットスティックＨを用い係合突起５と係合孔６との係合が対設された突出片４ａ，４ｂを外側から挟むだけで簡単に行なえるようにしている。仮に、係合突起５すなわち係合爪５ａの先端が囲い枠７よりも外側へ突出していると、ホットスティックＨの先端で突出片４ａの外面と該突出片４ａから突出する係合突起５の先端部を挟んでしまうことになり、係合突起５が係合孔６にうまく係合できないからである。
【００１４】
また、係合突起５が係合孔６に係合した状態では、両突出片４ａ，４ｂの対向する内面がほぼ密着しているが、それら両先端部における対向する内面４ｃ，４ｃは互いに先端へ向かうに従いその間が広がるように傾斜している。これは、後記するように配電線被覆補修カバーＡを電線Ｗから取り外す場合、各係合突起５と各係合孔６との係合を外すに、例えばドライバーＲの先端を両突出片４ａ，４ｂ間に差し込み易くするためである。
【００１５】
カバー本体１における両分割端縁１ａ，１ａのほぼ中央部に、長手方向に位置を違わせて一対の把持片８，８が設けられている。これら把持片８，８は、カバー本体１を電線Ｗの充電部Ｄに被覆する際にホットスティックＨの先端で把持するためのものであり、これにより作業が容易に行なえるようにしている。把持片８，８の取付位置は両分割端縁１ａ，１ａに限られず、例えばカバー本体１の胴部外周面に設けるようにしても良い。
【００１６】
カバー本体１における内周面１ｂのほぼ中央部には、中心線を挟んだ両側に位置する一対のズレ止め防止片９，９が長手方向に沿って二組設けられている。これら長手方向における二組のズレ止め防止片９，９間の間隔は、電線Ｗの被覆層ｗを剥がして露出させた充電部Ｄの長手方向の間隔より狭くなっており、カバー本体１を電線Ｗの充電部Ｄに被覆した場合、各ズレ止め防止片９の内周端縁が充電部Ｄの外周面に当接するようになっている。これにより、例えばカバー本体１が電線Ｗに沿って不要に移動しようとしても、いずれかのズレ止め防止片９が充電部Ｄの外周面に摺接しつつ被覆層ｗの切断端面ｗ１に当たり、カバー本体１のそれ以上の移動を阻止する。これにより、カバー本体１の不要な移動が防止される。
【００１７】
本発明に係る配電線被覆補修カバーＡは上記構成からなり、次に図５乃至図７に基づき配電線被覆補修カバーＡの電線Ｗへの被覆手順を説明する。電線Ｗは所定の範囲に亘り被覆層ｗが剥がされ、充電部Ｄを露出させている。また、配電線被覆補修カバーＡを電線Ｗに被覆するには、ホットスティックＨが使用される。該ホットスティックＨは、物を挟持する絶縁ヤットコｈ１の二本の柄にそれぞれ長い操作杆ｈ２，ｈ２を取着して構成され絶縁性を有し、例えば、高所作業車の電線工事用バスケット（図示せず。）からの遠隔操作により高所での作業が楽に行なえるようにするためのものである。
【００１８】
まず、図５に示すようにホットスティックＨの先端の絶縁ヤットコｈ１により、分割端縁１ａ，１ａを下側にしてカバー本体１に設けられた一方の把持片８を挟持し、該カバー本体１を充電部Ｄの上方位置で電線Ｗと平行となるように配置する。そして、そのままカバー本体１を下降させて充電部Ｄに接近させ、両分割端縁１ａ，１ａ間を開かせつつカバー本体１を充電部Ｄに被覆する。この際、二組のズレ止め防止片９，９が充電部Ｄの外周面に接触し、しかも、被覆層ｗの両切断端面ｗ１，ｗ１間に位置している。
【００１９】
この状態で、図６に示すようにカバー本体１の分割端縁１ａ，１ａに沿って三個所に設けられた一対の突出片４ａ，４ｂを外側から挟む。これにより、係合突起５が係合孔６に挿通されると共に係合爪５ａが係合孔６に係合する。この際、各分割端縁１ａ，１ａから突出し向かい合う突条３，３が互いに上下に重なるようにして配置され、十分な沿面距離が確保される。このようにして、図７に示すように配電線被覆補修カバーＡにより電線Ｗの充電部Ｄが被覆される。
【００２０】
電線Ｗの充電部Ｄに配電線被覆補修カバーＡが被覆されている状態では、例えばカバー本体１内に雨水が流入した場合、該雨水は突条３の上面を先端側へ流れ下方へ流下すると共に、最終的に両分割端縁１ａ，１ａ間の隙間から下方へ排出される。よって、カバー本体１内に雨水が溜まるようなことがなく、充電部Ｄが劣化するといった恐れもない。
【００２１】
配電線被覆補修カバーＡを取り外すには、例えばホットスティックＨの先端にドライバーＲを取着し、該ホットスティックＨを使用って、図８に示すように互いに重なる両突出片４ａ，４ｂの先端部における対向する内面４ｃ，４ｃ間に該ドライバーＲの先端を差し込んで抉る。これにより、両突出片４ａ，４ｂ間が開かれると共に係合突起５の係合爪５ａが係合孔６から外れて、分割端縁１ａ，１ａ間が拡開できるようになる。この状態で、前記のように把持片８をホットスティックＨの先端で把持し、配電線被覆補修カバーＡを電線Ｗから上方へ引き上げる。これにより、電線Ｗから配電線被覆補修カバーＡが取り外せる。
【００２２】
このように、本考案に係る配電線被覆補修カバーＡでは、電線Ｗの被覆層ｗを剥ぎ取った充電部Ｄを被覆するカバーとして専用化できるので、全体に小型化が可能になり使い勝手が良くなる。また、ホットスティックＨの先端で一対の突出片４ａ，４ｂを挟んで係合突起５を係合孔６に係合させ、しかも、該ホットスティックＨの先端で把持片８を狭持してカバー本体１を電線Ｗの充電部Ｄに被覆でき、ホットスティックＨが使用でき作業が容易にかつ迅速に行なえる。更に、カバー本体１が風圧や振動により電線Ｗに沿って移動しようとしても、ズレ止め防止片９が充電部Ｄに当接すると共に被覆層ｗの切断端面ｗ１に当たりその不要な移動を阻止するので、カバー本体１がズレることがない。
【符号の説明】
【００２３】
１            カバー本体
１ａ          分割端縁
１ｂ          内周面
２            挿通孔
３            突条
４ａ          突出片
４ｂ          突出片
４ｃ          内面
５            係合突起
５ａ          係合爪
６            係合孔
７            囲い枠
８            把持片
９            ズレ止め防止片
Ａ            配電線被覆補修カバー
Ｄ            充電部
Ｈ            ホットスティック
Ｗ            電線
ｗ            被覆層
ｗ１          切断端面
【図１】
0003169138.tif 000003
【図２】
0003169138.tif 000004
【図３】
0003169138.tif 000005
【図４】
0003169138.tif 000006
【図５】
0003169138.tif 000007
【図６】
0003169138.tif 000008
【図７】
0003169138.tif 000009
【図８】
0003169138.tif 000010